(57)【要約】【課題】ミラーキャビネットのスペースを有効活用して帯電微粒子水を生成及び放出させ、この帯電微粒子水を使用者の狙いの箇所に効率的に供給する。【解決手段】本発明のミラーキャビネットは、キャビネット本体１の前面に、左右に隣接する複数のミラー２を配したミラーキャビネットである。隣接するミラー２間に、上下に長尺のスペースＳを設け、スペースＳより後方に、照明具４を配置する配置部５と、帯電微粒子水を生成して放出する静電霧化装置１０を備えている。このスペースＳは、照明具４からの照明を前方に照射する照射口と、静電霧化装置１０が生成する帯電微粒子水を前方に放出する放出口とを、兼ねたものである。【選択図】図１
2013022259.tif 000002
【特許請求の範囲】
【請求項１】
キャビネット本体の前面に、左右に隣接する複数のミラーを配したミラーキャビネットにおいて、隣接する前記ミラー間に、上下に長尺のスペースを設け、前記スペースより後方に、照明具を配置する配置部と、帯電微粒子水を生成して放出する静電霧化装置とを備え、前記スペースは、前記照明具からの照明を前方に照射する照射口と、前記静電霧化装置が生成する前記帯電微粒子水を前方に放出する放出口とを、兼ねたものであることを特徴とするミラーキャビネット。
【請求項２】
前記静電霧化装置は、前記スペースを通じて、前記ミラーの前方に位置する使用者の顔面にむけて前記帯電微粒子水を放出するものであることを特徴とする請求項１に記載のミラーキャビネット。
【請求項３】
隣接する複数の前記ミラーとして、左側ミラー、中央ミラー及び右側ミラーを配し、前記中央ミラーと前記左側ミラーとの間に前記スペースを設けてこれより後方に前記照明具と前記静電霧化装置を備え、前記中央ミラーと前記右側ミラーとの間にも前記スペースを設けてこれより後方に前記照明具と前記静電霧化装置を備えたことを特徴とする請求項１又は２に記載のミラーキャビネット。
【発明の詳細な説明】
【技術分野】
【０００１】
本発明は、複数のミラーを並設したミラーキャビネットに関する。
【背景技術】
【０００２】
帯電微粒子水を生成し、放出することのできる静電霧化装置をミラーキャビネットに配したものが、特許文献１に開示されている。このミラーキャビネットでは、キャビネット本体の下部に専用のボックスを配置し、このボックス内に静電霧化装置を配している。ボックス内にて生成された帯電微粒子水は、ボックスに設けた放出口を通じて、前方へと放出される。
【先行技術文献】
【特許文献】
【０００３】
【特許文献１】特開２００６−６１４０７号公報
【発明の概要】
【発明が解決しようとする課題】
【０００４】
上記した従来のミラーキャビネットでは、ボックスを配置するための専用スペースが、キャビネット本体の下部に必要となる。そのため、キャビネット全体の省スペース化やデザイン性の面で、問題があった。また、ミラーの下方に静電霧化装置が位置するため、ミラーを覗く使用者の狙いの箇所（顔面等）に対して、帯電微粒子水を供給しにくいという問題があった。
【０００５】
本発明は前記問題点に鑑みて発明したものであって、ミラーキャビネットのスペースを有効活用して帯電微粒子水を生成及び放出させ、更に、この帯電微粒子水を使用者の狙いの箇所に効率的に供給することを、課題とする。
【課題を解決するための手段】
【０００６】
前記課題を解決するため、本発明は、キャビネット本体の前面に、左右に隣接する複数のミラーを配したミラーキャビネットにおいて、隣接する前記ミラー間に、上下に長尺のスペースを設け、前記スペースより後方に、照明具を配置する配置部と、帯電微粒子水を生成して放出する静電霧化装置とを備え、前記スペースは、前記照明具からの照明を前方に照射する照射口と、前記静電霧化装置が生成する前記帯電微粒子水を前方に放出する放出口とを、兼ねたものであることを特徴とする。
【０００７】
前記静電霧化装置は、前記スペースを通じて、前記ミラーの前方に位置する使用者の顔面にむけて前記帯電微粒子水を放出するものであることが好ましい。
【０００８】
また、隣接する複数の前記ミラーとして、左側ミラー、中央ミラー及び右側ミラーを配し、前記中央ミラーと前記左側ミラーとの間に前記スペースを設けてこれより後方に前記照明具と前記静電霧化装置を備え、前記中央ミラーと前記右側ミラーとの間にも前記スペースを設けてこれより後方に前記照明具と前記静電霧化装置を備えることも好ましい。
【発明の効果】
【０００９】
本発明は、ミラーキャビネットのスペースを有効活用して帯電微粒子水を生成及び放出することができ、更に、帯電微粒子水を使用者の狙いの箇所に効率的に供給することができるという効果を奏する。
【図面の簡単な説明】
【００１０】
【図１】本発明の一実施形態のミラーキャビネットの正面図である。
【図２】図１のＡ−Ａ線断面図である。
【図３】図１のＢ−Ｂ線断面図である。
【図４】同上のミラーキャビネットに備える静電霧化装置の基本構成を示す構成図である。
【発明を実施するための形態】
【００１１】
本発明を、添付図面に示す実施形態に基づいて説明する。図１には、本発明の一実施形態のミラーキャビネットを示している。
【００１２】
本実施形態のミラーキャビネットは、洗面台５０の上方に設置されることで、洗面化粧台を構成するものであり、キャビネット本体１の前面に、三つのミラー２が左右方向に並設されている。
【００１３】
キャビネット本体１は、前方が開放された箱型のキャビネット部３を、左右方向に三つ並設させたものであり（図２、図３参照）、各キャビネット部３の前面開口を、対応するミラー２で開閉自在としている。左右に隣接するキャビネット部３間には、照明具４を配置するための配置部５が備えられている。照明具４は、隣接するミラー２間のスペースＳを通じて、洗面台５０前で着座又は起立する使用者Ｕに対して照明を与える。
【００１４】
このスペースＳは、キャビネット本体１の上端部から下端部にまで至るように、上下方向に長尺に形成されている。各スペースＳは、その後方に位置する配置部５と前後方向に連通し、配置部５にある照明具４を前方に露出させる。本実施形態では、各配置部５に配される照明具４として、上下方向に長尺の照明具４（ＬＥＤ蛍光灯等）を一つ配しているが、各配置部５において複数の照明具４を上下方向に並設してもよい。
【００１５】
キャビネット本体１には、静電霧化装置１０が備えられている。この静電霧化装置１０は、空気中の水分を基にしてナノメータサイズの帯電微粒子水を生成し、外部空間にむけて放出するものである。静電霧化装置１０は、図４に示すように、ピン状の放電電極１１と、この放電電極１１を冷却して表面上に結露水を生じさせるペルチェユニット１２と、放電電極１１に対して静電霧化用の電圧を印加する電圧印加部１３とを具備する。本実施形態では、放電電極１１の先端部と対向する位置にリング状の対向電極１４を配し、この対向電極１４との間において放電電極１１に高電圧を印加している。放電電極１１の先端部にて結露水を基にして生成された帯電微粒子水は、対向電極１４の中央孔を通じて放出される。
【００１６】
静電霧化装置１０は、キャビネット部３の側縁部に設置され（図２等参照）、隣接するミラー２間のスペースＳにむけて帯電微粒子水を放出する。スペースＳを通過した帯電微粒子水は、使用者Ｕが位置するミラー２前方の空間へと、順次放出される。
【００１７】
この静電霧化装置１０は、配置部５（及びここに配置される照明具４）を左右両側から挟むように、各箇所において対を成して設置される。具体的には、上下に長尺で形成される配置部５のうち、着座状態にある使用者Ｕの顔面に対応した高さとして設定される位置Ｐ１と、起立状態にある使用者Ｕの顔面に対応した高さとして設定される位置Ｐ２の両方において、それぞれ左右一対の静電霧化装置１０が配置される。各静電霧化装置１０はミラー２の裏側に位置し、前方には露出しないように設けている。
【００１８】
ここで、中央のキャビネット部３の前面に配されるミラー２を「中央ミラー２ａ」、左側のキャビネット部３の前面に配されるミラー２を「左側ミラー２ｂ」、右側のキャビネット部３の前面に配されるミラー２を「右側ミラー２ｃ」として、更に詳しく説明する。
【００１９】
中央ミラー２ａと左側ミラー２ｂの間のスペースＳには、位置Ｐ１と位置Ｐ２の二箇所において、左右両側の静電霧化装置１０から帯電微粒子水が放出され、このスペースＳを通じて使用者Ｕに帯電微粒子水が浴びせられる。ナノメータサイズの帯電微粒子水は、使用者Ｕの肌や毛髪に対する保湿効果や、下方の洗面台５０及びその周辺空間に対する脱臭、除菌効果を与える。
【００２０】
中央ミラー２ａと右側ミラー２ｃの間のスペースＳにおいても、位置Ｐ１と位置Ｐ２の二箇所において、左右両側の静電霧化装置１０から帯電微粒子水が放出され、このスペースＳを通じて帯電微粒子水が供給される。
【００２１】
使用者Ｕが着座状態にあるときには、下方の位置Ｐ１にある静電霧化装置１０からの帯電微粒子水が、使用者Ｕの顔面にむけて浴びせられ、肌や毛髪（特に顔面の肌）に対して潤いを与える。一方、上方の位置Ｐ２にある静電霧化装置１０からの帯電微粒子水は、使用者Ｕに対して上方から浴びせられ、肌や毛髪（特に毛髪）に対して潤いを与える。使用者Ｕが起立状態にあるときには、上方の位置Ｐ２にある静電霧化装置１０からの帯電微粒子水が、使用者Ｕの顔面にむけて浴びせられ、肌や毛髪（特に顔面の肌）に対して潤いを与える。
【００２２】
そして、本実施形態では、スペースＳが左右に一対形成され、各スペースＳを通じてそれぞれ帯電微粒子水が前方に放出されるので、使用者Ｕの左右位置に関わらず、帯電微粒子水を十分に供給することができる。例えば、図示のように、使用者Ｕが左側のスペースＳ前に着座しているとき、右側のスペースＳから供給される帯電微粒子水は、使用者Ｕに対して側方から帯電微粒子水を供給する。一方、使用者Ｕが右側のスペースＳ前に移動したときには、左側のスペースＳから供給される帯電微粒子水が、使用者Ｕに対して側方から帯電微粒子水を供給する。
【００２３】
以上説明したように、本実施形態のミラーキャビネットは、キャビネット本体１の前面に、左右に隣接する複数のミラー２を配したミラーキャビネットである。隣接するミラー２間に、上下に長尺のスペースＳを設け、スペースＳより後方に、照明具４を配置する配置部５と、帯電微粒子水を生成して放出する静電霧化装置１０とを備えている。このスペースＳは、照明具４からの照明を前方に照射する照射口と、静電霧化装置１０が生成する帯電微粒子水を前方に放出する放出口とを、兼ねたものである。
【００２４】
このように、使用者Ｕを照らすための照射口となるスペースＳを活用して、ここから帯電微粒子水を放出するように設けることで、キャビネット全体の省スペース化が図られる。しかも、帯電微粒子水を生成、放出するための構造が目に付くことがなく、キャビネット全体のデザイン性も良好となる。
【００２５】
そして、この静電霧化装置１０は、スペースＳを通じて、ミラー２の前方に位置する使用者Ｕの顔面にむけて帯電微粒子水を放出するものとなっている。
【００２６】
このように、隣接するミラー２間から顔面にむけて帯電微粒子水を放出することで、ミラー２前で化粧等を行う使用者Ｕの顔面の肌に対して効率的に潤いを与えることができ、化粧ノリも向上させることができる。
【００２７】
加えて、本実施形態では、隣接する複数のミラー２として、左側ミラー２ｂ、中央ミラー２ａ及び右側ミラー２ｃを配し、中央ミラー２ａと左側ミラー２ｂとの間にスペースＳを設けてこれより後方に照明具４と静電霧化装置１０を備えている。さらに、中央ミラー２ａと右側ミラー２ｃとの間にもスペースＳを設けてこれより後方に照明具４と静電霧化装置１０を備えている。
【００２８】
このようにすることで、三面のミラー２ａ，２ｂ，２ｃを用いて化粧等を行う使用者Ｕに対して、左右に離間して形成される一対のスペースＳからそれぞれ帯電微粒子水を供給することができ、使用者Ｕに対して左右両側から帯電微粒子水を浴びせることが可能となる。
【００２９】
以上、本発明を添付図面に示す実施形態に基づいて説明したが、本発明は前記実施形態に限定されるものではない。例えば、静電霧化装置１０の設置箇所が位置Ｐ１と位置Ｐ２の両方でなく、一方であってもよい。また、各位置Ｐ１，Ｐ２での静電霧化装置１０を左右一対備えるのでなく、配置部５の左側又は右側にだけ静電霧化装置１０を備えるようにしてもよい。その他の構成についても、本発明の意図する範囲内であれば、適宜の設計変更を行うことが可能である。
【符号の説明】
【００３０】
１  キャビネット本体
２  ミラー
２ａ  中央ミラー
２ｂ  左側ミラー
２ｃ  右側ミラー
４  照明具
５  配置部
１０  静電霧化装置
Ｕ  使用者
【図１】
2013022259.tif 000003
【図２】
2013022259.tif 000004
【図３】
2013022259.tif 000005
【図４】
2013022259.tif 000006